(57)【要約】【課題】浴室と浴室に隣接する洗面室が連続する部屋として内壁が形成される場合にも、浴室と洗面室の間に間仕切り壁を簡便に取り付けることができ、施工が容易で、部材数が少なく、低コストな浴室と洗面室の間仕切り構造を提供する。【解決手段】浴室１の内壁を形成する壁パネルの内の洗面室内壁を形成する壁パネルに隣り合う壁パネルの側端部に配設された浴室内壁側ジョイナーの洗面室側に向かって延びる浴室内壁側ジョイント片と、洗面室２の内壁を形成する壁パネルの内の浴室内壁を形成する壁パネルに隣り合う壁パネルの側端部に配設された洗面室内壁側ジョイナーの浴室側に向かって延びる洗面室内壁側ジョイント片を、浴室と洗面室の境界部の壁間隙部において互いに重合させて固定し、間仕切り壁固定部を形成し、間仕切り壁固定部に間仕切り壁４を取り付ける。【選択図】図１
2008180042.tif 000002
【特許請求の範囲】
【請求項１】
横長形状の壁パネルが床から天井に向かって複数段積み上げられ、浴室と浴室に隣接する洗面室が連続する部屋として内壁が形成された浴室と洗面室の壁構造における浴室と洗面室の間仕切り構造であって、浴室と洗面室の境界部に壁間隙部が形成され、浴室内壁を形成する壁パネルの内の洗面室内壁を形成する壁パネルに隣り合う壁パネルの側端部に浴室内壁側ジョイナーが配設され、浴室内壁側ジョイナーは洗面室側に向かって延びる浴室内壁側ジョイント片を有し、洗面室内壁を形成する壁パネルの内の浴室内壁を形成する壁パネルに隣り合う壁パネルの側端部に洗面室内壁側ジョイナーが配設され、洗面室内壁側ジョイナーは浴室側に向かって延びる洗面室内壁側ジョイント片を有し、壁間隙部において浴室内壁側ジョイナーの浴室内壁側ジョイント片と洗面室内壁側ジョイナーの洗面室内壁側ジョイント片を互いに重合させて固定し、間仕切り壁固定部が形成され、間仕切り壁固定部に間仕切り壁が取り付けられたことを特徴とする浴室と洗面室の間仕切り構造。
【請求項２】
間仕切り壁固定部の形成が壁パネルの一段毎に行なわれ、壁パネルが積み重ねられることを特徴とする請求項１に記載の浴室と洗面室の間仕切り構造。
【請求項３】
浴室内壁側ジョイナーおよび洗面室内壁側ジョイナーは、壁パネルの化粧板の裏面に取り付けられたフレーム枠の側端部に配設されることを特徴とする請求項１または２に記載の浴室と洗面室の間仕切り構造。
【発明の詳細な説明】
【技術分野】
【０００１】
本発明は、浴室と浴室に隣接する洗面室の内壁を統合して形成し、浴室と洗面室が連続する部屋として内壁が形成された浴室と洗面室の壁構造における浴室と洗面室の間仕切り構造に関する。
【背景技術】
【０００２】
住宅の浴室や洗面室などは規格化されたユニットルームとして形成され、内壁は壁パネルによって形成されている。
【０００３】
従来、壁パネルには床面から天井面に達する縦長形状を有するものが用いられ、この縦長の壁パネルの複数が、浴室や洗面室などの部屋の全辺に沿って横に並置され、相互間において接合して立設され、内壁が形成されていた。
【０００４】
しかしながら、部屋の高さは物件によって異なるため、縦長の壁パネルは物件ごとに生産しなければならず、在庫として保有することができないという問題があり、また、縦方向の撓みなどを防止するために補強を施しておく必要があり、縦長の壁パネルは、施工に間に合わせるために初期の段階で仕様を決め、生産しておかなければならなかった。このため、部屋のサイズは初期のプラン通りとなり、変更などを行うことはほとんどできなかった。
【０００５】
以上のような不都合を解消するものとして、横幅が部屋の各辺の長さに略等しい横長形状の壁パネルを用い、部屋のコーナー部にジョイント材を立設し、このジョイント材に横長の壁パネルを結合して壁パネル同士を直角に連結し、横長の壁パネルを下から上へ積み上げて内壁を形成する壁構造が提案されている（特許文献１、２）。
【０００６】
しかしながら、特許文献１、２に記載された壁構造は、いずれも、浴室や洗面室などの部屋単位に適用されるものであり、通常互いに隣接して配置される浴室および洗面室についても部屋ごとに内壁の形成を行わなければならない。このため、浴室、洗面室のそれぞれに設計が必要とされ、施工の取り合いを検討しなければならないなどの問題があった。
【０００７】
また、特許文献１に記載された壁構造では、部屋のコーナー部に立設されるジョイント材は部屋の床から天井に達する長尺の部材であり、この長尺のジョイント材に横長の壁パネルを結合するためには、ジョイント材を床に対して安定に立設しなければならない。床にアングルピースを固定し、アングルピースにジョイント材をボルトにより連結するなどの工夫が必要とされる。
【０００８】
一方、特許文献２に記載された壁構造では、ジョイント材を複数に分割して短いものとすることができるとされているが、どの程度に分割し、また、分割したものをどのように用いて横長の壁パネルを下から上へ積み上げるのか具体的にされていない。
【０００９】
そこで、本出願人は、浴室と浴室に隣接する洗面室の内壁を横長形状の壁パネルを用いて統合して形成することができる浴室と洗面室の壁構造を提案している（特許文献３）。
【００１０】
しかしながら、浴室と浴室に隣接する洗面室の内壁が横長形状の壁パネルにより統合して形成され、浴室と洗面室が連続する部屋となり、統一感のある外観に非常に優れたものであっても、浴室は水廻り空間であり、防水性を確保するためにも洗面室との間仕切りは必要である。
【００１１】
間仕切り壁の形成に関しては、たとえば特許文献４に、Ｌ字状断面の条材を素材とする壁ジョイナーが一片部を間柱に当接させて取り付けられ、壁ジョイナーの他方片部に間仕切り壁支柱が取り付けられ、この間仕切り壁支柱に間仕切り壁が建て込まれるという壁接合構造が知られている（特許文献４）。
【特許文献１】特開２００６−２９０２４号公報
【特許文献２】特開２００６−１４８３７号公報
【特許文献３】特願２００６−３１８９１１号
【特許文献４】特開２００２−２４２３４４号公報
【発明の開示】
【発明が解決しようとする課題】
【００１２】
しかしながら、特許文献４に記載された壁接合構造では、壁ジョイナーが設けられているのにもかかわらず、壁ジョイナーは、結局、間柱と間仕切り壁支柱を接合するものでしかなく、間仕切り壁の建て込みには間仕切り壁支柱が必要とされ、このため、間仕切り壁の施工は面倒であり、必要とされる部材数も多く、施工コストに反映する。
【００１３】
本発明は、先に提案した浴室と洗面室の壁構造を前提とした上で、浴室と浴室に隣接する洗面室が連続する部屋として内壁が形成される場合にも、浴室と洗面室の間に間仕切り壁を簡便に取り付けることができ、施工が容易で、部材数が少なく、低コストな浴室と洗面室の間仕切り構造を提供することを課題としている。
【課題を解決するための手段】
【００１４】
本発明の浴室と洗面室の間仕切り構造は、上記の課題を解決するために、以下のことを特徴としている。
【００１５】
第１に、横長形状の壁パネルが床から天井に向かって複数段積み上げられ、浴室と浴室に隣接する洗面室が連続する部屋として内壁が形成された浴室と洗面室の壁構造における浴室と洗面室の間仕切り構造であって、浴室と洗面室の境界部に壁間隙部が形成され、浴室内壁を形成する壁パネルの内の洗面室内壁を形成する壁パネルに隣り合う壁パネルの側端部に浴室内壁側ジョイナーが配設され、浴室内壁側ジョイナーは洗面室側に向かって延びる浴室内壁側ジョイント片を有し、洗面室内壁を形成する壁パネルの内の浴室内壁を形成する壁パネルに隣り合う壁パネルの側端部に洗面室内壁側ジョイナーが配設され、洗面室内壁側ジョイナーは浴室側に向かって延びる洗面室内壁側ジョイント片を有し、壁間隙部において浴室内壁側ジョイナーの浴室内壁側ジョイント片と洗面室内壁側ジョイナーの洗面室内壁側ジョイント片を互いに重合させて固定し、間仕切り壁固定部が形成され、間仕切り壁固定部に間仕切り壁が取り付けられた。
【００１６】
第２に、上記第１の特徴において、間仕切り壁固定部の形成が壁パネルの一段毎に行なわれ、壁パネルが積み重ねられる。
【００１７】
第３に、上記第１または第２の特徴において、浴室内壁側ジョイナーおよび洗面室内壁側ジョイナーは、壁パネルの化粧板の裏面に取り付けられたフレーム枠の側端部に配設される。
【発明の効果】
【００１８】
上記第１の発明によれば、浴室内壁を形成する壁パネルの内の洗面室内壁を形成する壁パネルに隣り合う壁パネルの側端部に配設された浴室内壁側ジョイナーの洗面室側に向かって延びる浴室内壁側ジョイント片と、洗面室内壁を形成する壁パネルの内の浴室内壁を形成する壁パネルに隣り合う壁パネルの側端部に配設された洗面室内壁側ジョイナーの浴室側に向かって延びる洗面室内壁側ジョイント片を、浴室と洗面室の境界部の壁間隙部において互いに重合させて固定し、間仕切り壁固定部を形成し、間仕切り壁固定部に間仕切り壁を取り付けるので、浴室と洗面室の間に間仕切り壁を簡便に取り付けることができ、間仕切り壁の施工が容易で、部材数が少なく、間仕切り壁の取り付けを低コストで行うことができる。
【００１９】
上記第２の発明によれば、上記第１の発明の効果に加え、間仕切り壁固定部の形成は壁パネルの一段毎に行われるので、浴室内壁側ジョイナーおよび洗面室内壁側ジョイナーの取り付け忘れがなく、壁パネルの積み重ねにより間仕切り壁固定部は床から天井までの高さ方向に強度の高いものとなり、間仕切り壁の取付強度を十分高くすることができる。
【００２０】
なお、間仕切り壁に要求される取付強度によっては、浴室内壁側ジョイナーおよび洗面室内壁側ジョイナーはすべての段の壁パネルに取り付ける必要はなく、部分的な省略が可能であり、間仕切り壁の施工がより容易となり、より低コスト化が図れる。
【００２１】
上記第３の発明によれば、上記の発明１または第２の発明の効果に加え、浴室内壁側ジョイナーおよび洗面室内壁側ジョイナーは、壁パネルの化粧板の裏面に取り付けられたフレーム枠の側端部に配設されるので、万一壁パネルの化粧板が破損したり、傷が生じたりするなどにより交換が必要となったときには、間仕切り壁にまったく手を加えることなく、化粧板のみを交換することができる。
【発明を実施するための最良の形態】
【００２２】
図１は、本発明の浴室と洗面室の間仕切り構造により形成された浴室および洗面室の一実施形態を示した平面図である。図２は、図１に示した浴室および洗面室のＡ−Ａ断面図である。図３は、図１に示した浴室および洗面室のＢ−Ｂ断面図である。
【００２３】
浴室１に隣接して洗面室２が配設されており、浴室１および洗面室２の内壁が、浴室１および洗面室２の各辺に対応する長さを有する横長形状の壁パネル３ａ、３ｂ、３ｃが床Ｆから天井Ｃに向かって３段に積み上げられて形成されている。浴室１と洗面室２は、間仕切り壁４によって仕切られており、間仕切り壁４には、出入口を形成するドアユニット５が取り付けられている。ドアユニット５ではドア枠５ａに透明なガラス板５ｂが嵌め込まれ、ガラス戸５ｃは浴室１側に開く開き戸とされている。
【００２４】
図４は、壁パネルを示した裏面図である。
【００２５】
下段、中段および上段の壁パネル３ａ、３ｂ、３ｃのいずれも、浴室１および洗面室２の各辺に対応する長さを有する横長矩形の化粧板６を表面に備え、化粧板６の裏面に化粧板６と略同一形状に組み立てられた矩形の金属製のフレーム枠７が取り付けられている。フレーム枠７は、化粧板６の上下端縁部に対応して平行に配置された上フレーム７ａと下フレーム７ｂの左右それぞれの端部に左フレーム７ｃ、右フレーム７ｄを直交させて連結して形成されている。フレーム枠７では、中央寄りに中フレーム７ｅが左右一対として設けられ、各中フレーム７ｅは左フレーム７ｃおよび右フレーム７ｄに平行に配置されている。左右の中フレーム７ｅ、上フレーム７ａおよび下フレーム７ｂで囲まれる領域において化粧板６の裏面には合板８が取り付けられている。合板８は、化粧板６の強度を高めるとともに、浴室１および洗面室２において必要とされる部材、器具などを化粧板６に表面側から取り付ける際の強固な固定を可能にしている。
【００２６】
このような壁パネル３ａ、３ｂ、３ｃでは、下段および中段の壁パネル３ａ、３ｂが標準サイズのものとして規格化され、在庫として保有することができるようにし、上段の壁パネル３ｃのみが高さ調整用として縦幅を物件に応じて変更することができる受注生産品としている。また、下段の壁パネル３ａでは、フレーム枠７の下フレーム７ｂが化粧板６の下縁より少し上側に配置されている。中段および上段の壁パネル３ｂ、３ｃでは、下フレーム７ｂは化粧板６の下縁に沿って配置されている。
【００２７】
さらに、壁パネル３ａ、３ｂ、３ｃでは、図５＜ａ＞＜ｂ＞に示したように、側端部を形成する左フレーム７ｃおよび右フレーム７ｄの外側面９にジョイント孔１０が形成されている。ジョイント孔１０の形状は、左フレーム７ｃと右フレーム７ｄで異なっている。左フレーム７ｃの外側面９に形成されたジョイント孔１０は、上部に円孔部１０ａを有し、円孔部１０ａから下方に狭小で細長い縦長孔部１０ｂが連続している。右フレーム７ｄのジョイント孔１０は、左フレーム７ｃに形成されたジョイント孔１０の円孔部１０ａより縦長の長円孔部１０ｃを有し、長円孔部１０ｃから下方に狭小ではあるが、左フレーム７ｃに形成されたジョイント孔１０の縦長孔部１０ｂより長さの短い縦孔部１０ｄが連続している。このようなジョイント孔１０は、左フレーム７ｃおよび右フレーム７ｄに所定の間隔で複数形成されている。
【００２８】
これらの壁パネル３ａ、３ｂ、３ｃは、図１に示した浴室１および洗面室２の各コーナー部においてジョイント材に結合させて浴室１および洗面室２の各辺に沿って建て込まれる。
【００２９】
図６は、ジョイント材を示した斜視図である。
【００３０】
ジョイント材１１は、図１に示した浴室１および洗面室２の各コーナー部において床Ｆに立設されるものであり、各壁パネル３ａ、３ｂ、３ｃの縦幅に略等しい長さを有する３種類が用意されている。ジョイント材１１は、金属製であり、各々で長さが異なっているが、構成は共通している。
【００３１】
すなわち、ジョイント材１１は、直交する２つの結合面部１１ａ、１１ｂを有し、下端部に結合面部１１ａ、１１ｂの裏面側から下方に延びる断面Ｌ字形状を有する接続部１１ｃを備えている。接続部１１ｃは、たとえば結合面部１１ａ、１１ｂと別体として形成し、溶接などによって結合面部１１ａ、１１ｂのそれぞれの裏面下端部に結合することができる。結合面部１１ａ、１１ｂは、一枚の金属板を直角に折り曲げることにより形成することができ、各結合面部１１ａ、１１ｂの端縁部１２は裏面側に直角に折り曲げ、結合面部１１ａ、１１ｂの面強度を高めるとともに、後述するジョイント材１１、１１Ａ同士の上下接続の際に、上側のジョイント材１１Ａの接続部１１ｃが下側のジョイント材１１の上端部から外側に外れず、差し込みを確実にするストッパーを兼ねている。
【００３２】
結合面部１１ａ、１１ｂには、それぞれ、図５＜ａ＞＜ｂ＞に示した壁パネル３ａ、３ｂ、３ｃの左フレーム７ｃおよび右フレーム７ｄの外側面９に形成されたジョイント孔１０に対応する位置にダボ１３が設けられている。ダボ１３は、結合面部１１ａ、１１ｂに表裏を貫通する孔を形成し、この孔にダボ１３の一端部を嵌入することにより、結合面部１１ａ、１１ｂに突設することができる。
【００３３】
以上の壁パネル３ａ、３ｂ、３ｃおよびジョイント材１１を用いて浴室１および洗面室２の内壁を形成する手順は以下に例示される。
【００３４】
壁パネル３ａ、３ｂ、３ｃの建て込みは浴室１から行い、まず、図１に示した浴室１の直交する２つの内壁Ｗ１、Ｗ２を形成する下段の壁パネル３ａを建て込む。図７＜ａ＞に示したように、内壁Ｗ１側の壁パネル３ａのフレーム枠７の右フレーム７ｄにジョイント材１１を結合面部１１ａ側において取り付ける。結合面部１１ａに突設されたダボ１３を右フレーム７ｄの外側面９に形成されたジョイント孔１０の長円孔部１０ｃに挿入し、引き下げ、ダボ１３を縦孔部１０ｄに少し移動させ、緩く嵌合させる。そして、壁パネル３ａを浴室１の床Ｆを形成する床パンＦ１の外周縁部に設けられたフランジ部１４の上に載置する。
【００３５】
このとき、壁パネル３ａの下端部を床パンＦ１のフランジ部１４に差し込むようにして載置すると、壁パネル３ａの位置決めを行うことができ、建て込みが容易となる。そのために、図８に示したように、壁パネル３ａのフレーム枠７の下フレーム７ｂにその上面から背面側に回り込み、垂下するフック１５がビスなどの固着具によって取り付けられている。フック１５は、壁パネル３ａの厚さ方向に弾性を有している。また、壁パネル３ａでは、フレーム枠７の下フレーム７ｂが、上記の通り、化粧板６の下縁より少し上側に配置されているため、下フレーム７ｂの下面に支持脚部１６がビス１７などの固着具によって取り付けられ、壁パネル３ａのフランジ部１４への載置を安定化させている。支持脚部１６は、下フレーム７ｂの下面に当接して取り付けられる取付部１６ａと、取付部１６ａの化粧板６の裏面に当接する一端から垂下し、化粧板６の裏面に当接する当接部１６ｂと、当接部１６ｂの下端から壁パネル３ａの厚み方向に延び、取付部１６ａに対向して配置された載置部１６ｃとを有している。このような支持脚部１６は、一枚の金属板の折り曲げによって形成することができ、壁パネル３ａのフランジ部１４への載置に際して化粧板６がフランジ部１４と干渉しないように、当接部１６ｂの下端を化粧板６の下縁から若干下方に突出させている。
【００３６】
フック１５および支持脚部１６を壁パネル３ａの下端部に取り付けることにより、壁パネル３ａを床パンＦ１のフランジ部１４に載置する際に、化粧板６とフック１５の間にフランジ部１４の水平面部１４ａの外側端縁から立ち上がる立ち上がり部１４ｂを差し込むことができ、しかもフック１５は弾性によって立ち上がり部１４ｂを挟持することができ、壁パネル３ａが位置決めされて建て込みが容易となる。また、壁パネル３ａは、支持脚部１６の載置部１６ｃにおいてフランジ部１４の水平面部１４ａ上に載置されるので、化粧板６に支障をきたすことなく、また、安定してフランジ部１４の上に載置することができる。
【００３７】
なお、フック１５および支持脚部１６は、下フレーム７ｂの全長にわたって設けても、または一定の間隔をあけて部分的に設けても構わない。
【００３８】
このようにして床パンＦ１のフランジ部１４に載置し、ジョイント材１１を取り付けた壁パネル３ａは、一旦、図１に示した内壁Ｗ１の外側に配設され、浴室１を区画する間仕切壁Ｗに持たれかけておき、内壁Ｗ２側の壁パネル３ａの建て込みを行う。すなわち、図７＜ａ＞に示したように、内壁Ｗ２側の壁パネル３ａを、内壁Ｗ１側の壁パネル３ａを載置した床パンＦ１のフランジ部１４に直交するフランジ部１４上に下端部を上記のように床パンＦ１のフランジ部１４に差し込んで載置する。この後、内壁Ｗ１側の壁パネル３ａを起こし、ジョイント材１１を結合面部１１ｂ側において内壁Ｗ２側の壁パネル３ａのフレーム枠７の左フレーム７ｃに重合させる。このとき、ジョイント材１１は浴室１の内壁Ｗ１と内壁Ｗ２の間のコーナー部に位置し、結合面部１１ｂに突設されたダボ１３が内壁Ｗ２側の壁パネル３ａの左フレーム７ｃの外側面９に形成されたジョイント孔１０の円孔部１０ａに挿入される。
【００３９】
この状態において、図７＜ｂ＞に示したように、プラスチックハンマー１８を用いてジョイント材１１をその上端面において下方に叩き込む。すると、ジョイント材１１の結合面部１１ａ側のダボ１３が内壁Ｗ１側の壁パネル３ａの右フレーム７ｄの外側面９に形成されたジョイント孔１０の縦孔部１０ｄに嵌まり込み、結合面部１１ｂ側のダボ１３が内壁Ｗ２側の壁パネル３ａの左フレーム７ｃの外側面９に形成されたジョイント孔１０の縦長孔部１０ｂに嵌まり込み、内壁Ｗ１、Ｗ２側の２枚の壁パネル３ａがジョイント材１１に結合し、ジョイント材１１の接続部１１ｃの下面が床パンＦ１のフランジ部１４の水平面部１４ａに着地する。
【００４０】
次いで、図１に示した内壁Ｗ３を形成する壁パネル３ａを建て込む。図９に示したように、内壁Ｗ３側の壁パネル３ａをジョイント材１１を用いて内壁Ｗ２側の壁パネル３ａに直角に連結する。この場合、内壁Ｗ３側の壁パネル３ａのフレーム枠７の左フレーム７ｃにジョイント材１１を、ジョイント材１１の結合面部１１ｂに突設されたダボ１３を左フレーム７ｃの外側面９に形成されたジョイント孔１０に緩く嵌合させて取り付け、内壁Ｗ３側の壁パネル３ａを床パンＦ１のフランジ部１４にフック１５によって差し込んで載置し、ジョイント材１１を浴室１のコーナー部に配置する。次いで、内壁Ｗ３側の壁パネル３ａの左フレーム７ｃに取り付けたジョイント材１１の結合面部１１ａを内壁Ｗ２側の壁パネル３ａのフレーム枠７の右フレーム７ｄの外側面９に、ダボ１３を右フレーム７ｄの外側面９に形成されたジョイント孔１０の長円孔部１０ｃに挿入し、重合させる。そして、プラスチックハンマー１８を用いてジョイント材１１を上端面において下方に叩き込む。ダボ１３がジョイント孔１０の縦長孔部１０ｂ、縦孔部１０ｄにそれぞれ嵌まり込み、接続部１１ｃの下端が床パンＦ１のフランジ部１４に着地する。浴室１の内壁Ｗ２、Ｗ３の間のコーナー部にジョイント材１１が立設され、内壁Ｗ２側の壁パネル３ａに内壁Ｗ３側の壁パネル３ａが直角に連結される。こうして、浴室１の三方の内壁Ｗ１、Ｗ２、Ｗ３における下段の壁パネル３ａが建て込まれる。
【００４１】
次いで、図１に示した浴室１に隣接する洗面室２に下段の壁パネル３ａの建て込みを行う。洗面室２の下段の壁パネル３ａの建て込みも基本的には浴室１の下段の壁パネル３ａの建て込みと同様であり、コーナー部にジョイント材１１を立設し、ジョイント材１１の直交する２つの結合面部１１ａ、１１ｂに壁パネル３ａを結合させる。図７＜ａ＞＜ｂ＞および図９に示した施工手順にしたがって行うことができる。
【００４２】
図１に示したように、浴室１と洗面室２の間には間仕切り壁４が取り付けられる。間仕切り壁４の取り付けのために、図１図中に示した円Ｘにおいては、図１０に拡大して示したように、浴室１の内壁Ｗ３の下段を形成する壁パネル３ａの内の洗面室２の内壁に隣り合う壁パネル３ａ１と、洗面室２内壁の下段を形成する壁パネル３ａの内の浴室１の内壁に隣り合う壁パネル３ａ２とは同一平面上に配置されるが、これらの壁パネル３ａ１、３ａ２が離間配置され、浴室１と洗面室２の境界部に壁間隙部１９が形成されている。
【００４３】
そして、壁パネル３ａ１の側端部に浴室内壁側ジョイナー２０が配設され、壁パネル３ａ２の側端部に洗面室内壁側ジョイナー２１が配設されている。浴室内壁側ジョイナー２０は洗面室２側に向かって延びる浴室内壁側ジョイント片２０ａを有し、洗面室内壁側ジョイナー２１は浴室１側に向かって延びる洗面室内壁側ジョイント片２１ａを有している。これらの浴室内壁側ジョイント片２０ａおよび洗面室内壁側ジョイント片２１ａは、ともに、壁パネル３ａ１、３ａ２の表面に配設された化粧板６とほぼ同一平面上に配置されている。また、浴室内壁側ジョイナー２０および洗面室内壁側ジョイナー２１の壁パネル３ａ１、３ａ２への取付部２０ｂ、２１ｂは、ともに、壁パネル３ａ１、３ａ２の側端部における外側面９および裏面に沿って断面Ｌ字状に折れ曲がり、外側面９および裏面に当接し、壁パネル３ａ１、３ａ２の側端部においてビス２２によって固定されている。具体的には、浴室内壁側ジョイナー２０の取付部２０ｂは、壁パネル３ａ１の化粧板６の裏面に取り付けられたフレーム枠７の右フレーム７ｄにビス２２により固定されている。また、洗面室内壁側ジョイナー２１の取付部２１ｂは、壁パネル３ａ２の化粧板６の裏面に取り付けられたフレーム枠７の左フレーム７ｃにビス２２により取り付けられている。
【００４４】
これらの浴室内壁側ジョイナー２０および洗面室内壁側ジョイナー２１は金属製とすることができ、折り曲げ加工により一体的に作製することができる。
【００４５】
浴室内壁側ジョイナー２０および洗面室内壁側ジョイナー２１は、浴室１と洗面室２の境界部に形成された壁間隙部１９において、浴室内壁側ジョイント片２０ａおよび洗面室内壁側ジョイント片２１ａを互いに重合させ、ビス２３により固定され、間仕切り壁固定部２４を形成する。間仕切り壁固定部２４には、図１−３に示した間仕切り壁４が取り付けられるため、浴室内壁側ジョイント片２０ａおよび洗面室内壁側ジョイント片２１ａの固定に用いるビス２３は、頭部が突出しない皿頭形状のビスを用いるのが好ましい。
【００４６】
また、図１図中の円Ｙ内に示した部分では、浴室１の内壁Ｗ１の下段の壁パネル３ａと洗面室２の内壁の下段を形成する壁パネル３ａが直交するが、この部分でも間仕切り壁４の取り付けのために間仕切り壁固定部２４を形成することができる。
【００４７】
すなわち、図１１に拡大して示したように、浴室１の内壁Ｗ１の下段の壁パネル３ａの内の洗面室２の内壁と隣り合う壁パネル３ａ３と洗面室２の内壁を形成する壁パネル３ａの内の浴室１の内壁に隣り合う下段の壁パネル３ａ４とを、壁パネル３ａ３の化粧板６の表面と壁パネル３ａ４の側端面とを同一平面上に配置されるように離間配置し、浴室１と洗面室２の境界部に壁間隙部１９を形成する。
【００４８】
さらに、壁パネル３ａ３の側端部に浴室内壁側ジョイナー２０が配設され、壁パネル３ａ４の側端部に洗面室内壁側ジョイナー２１が配設される。浴室内壁側ジョイナー２０は洗面室２側に向かって延びる浴室内壁側ジョイント片２０ａを有し、洗面室内壁側ジョイナー２１は浴室１側に向かって延びる洗面室内壁側ジョイント片２１ａを有している。これらの浴室内壁側ジョイント片２０ａおよび洗面室内壁側ジョイント片２１ａは、ともに、同一平面上に配置されている。また、浴室内壁側ジョイナー２０および洗面室内壁側ジョイナー２１の壁パネル３ａ３、３ａ４への取付部２０ｂ、２１ｂは、ともに、壁パネル３ａ３、３ａ３の側端部における外側面９および裏面に沿って断面Ｌ字状に折れ曲がり、外側面９および裏面に当接し、壁パネル３ａ３、３ａ３の側端部においてビス２２によって固定されている。具体的には、浴室内壁側ジョイナー２０の取付部２０ｂは、壁パネル３ａ３の化粧板６の裏面に配設されたフレーム枠７の左フレーム７ｃにビス２２により固定されている。また、洗面室内壁側ジョイナー２１の取付部２１ｂは、壁パネル３ａ２の化粧板６の裏面に配設されたフレーム枠７の左フレーム７ｃにビス２２により取り付けられている。
【００４９】
そして、浴室内壁側ジョイナー２０および洗面室内壁側ジョイナー２１は、浴室１と洗面室２の境界部に形成された壁間隙部１９において、浴室内壁側ジョイント片２０ａおよび洗面室内壁側ジョイント片２１ａを互いに重合させ、ビス２３により固定され、間仕切り壁固定部２４が形成されている。
【００５０】
このようにして間仕切り壁固定部２４を形成した後には、浴室１および洗面室２において中段の壁パネル３ｂの建て込みが行われる。施工された下段の壁パネル３ａは、図１２に示したように、コ字状に連結されており、建て込み状態が安定しているので、中段の壁パネル３ｂの施工が容易となる。なお、以下では便宜的に浴室１の内壁Ｗ１、Ｗ２、Ｗ３の施工について説明するが、洗面室２においても壁パネル３ｂの施工は同様に行うことができる。
【００５１】
中段の壁パネル３ｂを建て込む際には、壁パネル３ｂの縦幅に略等しい長さを有するジョイント材１１Ａが、下端部の接続部１１ｃを、下段の壁パネル３ａが結合されたジョイント材１１の直交する２つの結合面部１１ａ、１１ｂの内側に、図８に示したように差し込み、ジョイント材１１の上に接続される。
【００５２】
ジョイント材１１Ａとジョイント材１１の接続は、壁パネル３ｂの建て込み、すなわち、壁パネル３ｂの壁パネル３ａの上への積み重ねおよび壁パネル３ｂのジョイント材１１Ａへの結合と同時に行われる。
【００５３】
まず、内壁Ｗ１と内壁Ｗ２の間のコーナー部に立設されたジョイント材１１にジョイント材１１Ａを、接続部１１ｃをジョイント材１１の上端部に部分的に挿入して仮接続しておく。次いで、壁パネル３ａの上端に下端を重合させて壁パネル３ｂを壁パネル３ａの上に配置した後、壁パネル３ｂを壁パネル３ａ上で横幅方向にスライドさせ、ジョイント材１１Ａの結合面部１１ａに接近させ、壁パネル３ｂのフレーム枠７の右フレーム７ｄの外側面９に形成されたジョイント孔１０の長円孔部１０ｃにジョイント材１１Ａの結合面部１１ａに突設されたダボ１３を挿入し、緩く嵌合させて仮嵌合状態にする。そして、ジョイント材１１Ａをその上端面においてプラスチックハンマー１８を用いて下方に叩き込む。接続部１１ｃがジョイント材１１の上端部に完全に差し込まれ、ジョイント材１１Ａがジョイント材１１の上に本接続される。ジョイント材１１Ａの接続部１１ｃは、図６に示したような、ストッパーを兼ねるジョイント材１１の結合面部１１ａ、１１ｂの端縁部１２によってジョイント材１１の上端部に確実に差し込まれる。このジョイント材１１Ａの本接続と同時に、ジョイント材１１Ａの結合面部１１ａに突設されたダボ１３が壁パネル３ｂのフレーム枠７の右フレーム７ｄの外側面９に形成されたジョイント孔１０の縦孔部１０ｄに嵌まり込み、壁パネル５ｂとジョイント材１１Ａが結合され、壁パネル３ｂが壁パネル３ａの上に積み上げられて建て込まれる。以下同様にして内壁Ｗ２、Ｗ３側の壁パネル３ｂの建て込みを行う。
【００５４】
このように、壁パネル３ｂは、ジョイント材１１Ａをジョイント材１１に接続しながら建て込まれ、壁パネル３ａに積み上げることができるので、壁パネル３ｂの施工は容易であり、コーナー部において高い剛性を得ることができる。
【００５５】
なお、壁パネル３ｂを積み上げる際に壁パネル３ｂが壁パネル３ａに安定して積み上げられるように、図１３に示したように、下段の壁パネル３ａのフレーム枠７の上フレーム７ａに帯板２５が設けられ、中段の壁パネル３ｂのフレーム枠７の下フレーム７ｂに挟持片２６が設けられている。
【００５６】
帯板２５は、壁パネル３ａの横幅に略等しい横幅を有する横長形状の金属製の部材であり、上フレーム３ａの全長にわたって設けられている。帯板２５は、上フレーム３ａの裏面に当接し、ビス２７などの固着具により固定されている。帯板２５の上端部は壁パネル３ａの上端から上方に突出し、上端縁は、中段の壁パネル３ｂが下段の壁パネル３ａに積み上げられたときに壁パネル３ｂの下フレーム７ｂの上端面の若干下方に配置される。帯板２５の下端部は略直角に折り曲げられ、壁パネル３ａの裏面後方に向かう延設部２５ａが形成されている。延設部２５ａは帯板２５の強度を高めている。
【００５７】
挟持片２６は金属製の部材であり、壁パネル３ｂの横幅方向に一定の間隔で複数配設されている。挟持片２６は、取付部２６ａと、取付部２６ａの一端から略垂直に折れ曲がり、壁パネル３ｂの下端付近に延びる挟持部２６ｂとを有している。挟持部２６ｂは、略中央部において壁パネル３ｂの裏面後方に向かって斜めに折れ曲がっている。挟持片２６は、取付部２６ａを壁パネル３ｂの下フレーム７ｂの上端面に当接し、重ね合わせ、ダボ２８によって固定されている。固定状態では、挟持片２６の挟持部２６ｂは、帯板２５の略厚み分下フレーム７ｂの裏面から離れて配置される。
【００５８】
壁パネル３ｂを壁パネル３ａに積み上げる際には、帯板２５の上端部を壁パネル３ｂの下フレーム７ｂと下フレーム７ｂに固定された挟持片２６の間に差し込む。挟持片２６の挟持部２６ｂは、略中央部において壁パネル３ｂの裏面後方に向かって斜めに折れ曲がっているので、帯板２５の差し込みは容易であり、挟持部２６ｂの弾性は壁パネル３ｂの厚み方向に作用するため、挟持部２６ｂは帯板２５を下フレーム７ｂとの間に挟持する。したがって、壁パネル３ｂは壁パネル３ａの上に安定して配置され、建て込みの際には、壁パネル３ｂを壁パネル３ａの上で横方向にスライドさせてジョイント材１１Ａに接近させることができ、壁パネル３ｂの施工がより容易となっている。また、挟持片２６が帯板２５を挟持することによって、帯板２５が壁パネル３ａ、３ｂの補強材として機能し、面強度が高まる。
【００５９】
このような帯板２５および挟持片２６は、帯板２５については下側の壁パネルの上端部に、挟持片２６については上側の壁パネルの下端部に配設することができる。つまり、中段の壁パネル３ｂには、フレーム枠７の上フレーム７ａに帯板２５が上記と同様に取り付けられ、中段の壁パネル３ｂの上に積み上げられる図４に示した上段の壁パネル３ｃには、フレーム枠７の下フレーム７ｂに挟持片２６が上記のように取り付けられる。
【００６０】
なお、図１０および図１１に示した間仕切り壁固定部２４は、壁パネル３ａ、３ｂ、３ｃの各段毎に行われる。一方、間仕切り壁４に要求される取付強度によっては、浴室内壁側ジョイナー２０および洗面室内壁側ジョイナー２１はすべての段の壁パネル３ａ、３ｂ、３ｃに取り付ける必要はなく、部分的な省略が可能でもある。図１−３に示した間仕切り壁４は、そのようにして形成された間仕切り壁固定部２４に、図１０および図１１に示したように、たとえば枠固定ビス２９などの固着具によって取り付けられ、浴室１と洗面室２を間仕切る。
【００６１】
間仕切り壁固定部２４は、浴室内壁を形成する壁パネル３ａ，３ｂ，３ｃの内の洗面室２の内壁に隣り合う壁パネルの側端部に配設された浴室内壁側ジョイナー２０の洗面室側に向かって延びる浴室内壁側ジョイント片２０ａと、洗面室内壁を形成する壁パネル３ａ、３ｂ、３ｃの内の浴室１の内壁に隣り合う壁パネルの側端部に配設された洗面室内壁側ジョイナー２１の浴室側に向かって延びる洗面室内壁側ジョイント片２１ａを、浴室１と洗面室２の境界部に形成された壁間隙部１９において互いに重合させて固定することにより形成され、このようにして形成される間仕切り壁固定部２４に間仕切り壁４を取り付けることができるので、浴室１と洗面室２の間に間仕切り壁４を簡便に取り付けることができ、間仕切り壁４の施工が容易であり、部材数が少なく、間仕切り壁４の取り付けを低コストで行うことができる。
【００６２】
また、間仕切り壁固定部２４の形成は壁パネル３ａ、３ｂ、３ｃの一段毎に行われるので、浴室内壁側ジョイナー２０および洗面室内壁側ジョイナー２１の取り付け忘れがなく、壁パネル３ａ、３ｂ、３ｃの積み重ねにより間仕切り壁固定部２４は床Ｆから天井Ｃまでの高さ方向に強度の高いものとなり、間仕切り壁４の取付強度を十分高くすることができる。
【００６３】
前記の通り、間仕切り壁４に要求される取付強度によっては、浴室内壁側ジョイナー２０および洗面室内壁側ジョイナー２１はすべての段の壁パネルに取り付ける必要はなく、部分的な省略が可能であり、間仕切り壁４の施工がより容易となり、より低コスト化が図れる。
【００６４】
さらに、浴室内壁側ジョイナー２０および洗面室内壁側ジョイナー２１は、壁パネル３ａ、３ｂ、３ｃの化粧板６の裏面に取り付けられたフレーム枠７の側端部に配設されるので、万一壁パネル３ａ、３ｂ、３ｃの化粧板６が破損したり、傷が生じたりするなどにより交換が必要となったときには、間仕切り壁４にまったく手を加えることなく、化粧板６のみを交換することができる。
【００６５】
そして、横長形状の壁パネル３ａ、３ｂ、３ｃを用いて浴室１と浴室１に隣接する洗面室２の内壁を統合して形成することができるので、浴室１と洗面室２を統合して設計することができ、設計の手間が省け、また、浴室１と洗面室２の施工の取り合いが簡略化される。浴室１の施工と洗面室２の施工は連続的に行うことができ、作業効率が高い。形成される内壁は、図２に示したように浴室１から洗面室２まで統一感のあるものとなり、浴室１と洗面室２が連続する部屋として形成される。しかも、浴室１と洗面室２の間に間仕切り壁４が取り付けられるが、間仕切り壁４は、透明なガラス板５ｂが嵌め込まれたドアユニット５が取り付けられているため、浴室１と洗面室２の統一感はより高まり、外観が非常に優れたものとなる。
【図面の簡単な説明】
【００６６】
【図１】本発明の浴室と洗面室の間仕切り構造により形成された浴室および洗面室の一実施形態を示した平面図である。
【図２】図１に示した浴室および洗面室のＡ−Ａ断面図である。
【図３】図１に示した浴室および洗面室のＢ−Ｂ断面図である。
【図４】壁パネルを示した裏面図である。
【図５】＜ａ＞＜ｂ＞は、それぞれ、壁パネルの左右のフレームの外側面に形成されジョイント孔を示した要部側面図である。
【図６】ジョイント材を示した斜視図である。
【図７】＜ａ＞＜ｂ＞は、それぞれ、下段の壁パネルの施工手順を示した要部分解斜視図である。
【図８】下段の壁パネルの床パン上への載置とジョイント材の接続について示した要部側面図である。
【図９】下段の壁パネルを建て込んだ状態を示した斜視図である。
【図１０】図１図中の円Ｘにおける間仕切り壁固定部を示した要部断面図である。
【図１１】図１図中の円Ｙにおける間仕切り壁固定部を示した要部断面図である。
【図１２】下段の壁パネルの上に中段の壁パネルを積み上げ、施工する状態を示した要部斜視図である。
【図１３】下段の壁パネルの上に中段の壁パネルを積み上げた状態を示した要部断面図である。
【符号の説明】
【００６７】
１  浴室
２  洗面室
３ａ、３ｂ、３ｃ、３ａ１、３ａ２、３ａ３、３ａ４  壁パネル
４  間仕切り壁
７  フレーム枠
１９  壁間隙部
２０  浴室内壁側ジョイナー
２０ａ  浴室内壁側ジョイント片
２１  洗面室内壁側ジョイナー
２１ａ  洗面室内壁側ジョイント片
２４  間仕切り壁固定部
【図１】
2008180042.tif 000003
【図２】
2008180042.tif 000004
【図３】
2008180042.tif 000005
【図４】
2008180042.tif 000006
【図５】
2008180042.tif 000007
【図６】
2008180042.tif 000008
【図７】
2008180042.tif 000009
【図８】
2008180042.tif 000010
【図９】
2008180042.tif 000011
【図１０】
2008180042.tif 000012
【図１１】
2008180042.tif 000013
【図１２】
2008180042.tif 000014
【図１３】
2008180042.tif 000015